(57)【要約】【課題】携帯端末において、外部接続端子を接続する被接続部を、取付が容易で設置スペースが小さく、抜き差ししやすいものとする。【解決手段】筐体本体（背面側キャビネット５ｂ）にイヤホンジャック２０を脱着可能な取付用凹部１１を設け、この取付用凹部１１に１つのボス部１３と、内部のメイン基板に接続するフレキシブル基板２６（配線）が延びるイヤホンジャック２０の先端２０ａが挿入される接続用貫通孔１５とを設ける。イヤホンジャック２０に、イヤホンプラグ５０が挿入される端子挿入口２１が開口されたイヤホンジャック本体２２を設け、このイヤホンジャック本体２２に、ボス部１３にビス止めするための１つのビス取付部２３と、取付用凹部１１に形成された係合用溝１４に係止される係合用突起２４とを設ける。【選択図】図１
2013042281.tif 000002
【特許請求の範囲】
【請求項１】
外部接続端子を接続するための被接続部が取り付けられた携帯端末本体を有する携帯端末であって、
上記携帯端末本体は、
上記被接続部を脱着可能な取付用凹部と、
上記取付用凹部に形成された１つのボス部と、
上記取付用凹部に形成され、内部の基板に接続する配線が延びる上記被接続部の先端が挿入される接続用貫通孔と、
上記取付用凹部における上記１つのボス部と異なる位置に形成された係合用溝とを備え、
上記被接続部は、
上記外部接続端子が挿入される端子挿入口が開口された被接続部本体と、
上記被接続部本体に形成され、上記ボス部にビス止めするための１つのビス取付部と、
上記被接続部本体に形成され、上記係合用溝に係止される係合用突起とを備えている
ことを特徴とする携帯端末。
【請求項２】
請求項１に記載の携帯端末において、
上記係合用溝は、上記ボス部の雌ネジの延びる方向に沿う第１方向溝と、
上記第１方向溝に連続し、該第１方向溝と異なる方向に延びる第２方向溝とを備え、
上記係合用突起が上記第２方向溝の終端に来たときに上記ビス取付部と上記ボス部とが位置決めされるように構成されている
ことを特徴とする携帯端末。
【請求項３】
請求項１又は２に記載の携帯端末において、
上記係合用突起の上記係合用溝の始端に挿入する側は、先細となり、
上記係合用溝の終端は、該係合用溝の他の部分よりも深さが深くなっている
ことを特徴とする携帯端末。
【請求項４】
請求項１乃至３のいずれか１つに記載の携帯端末において、
上記被接続部の先端には、上記接続用貫通孔内周と密着するシール部材が設けられ、
上記取付用凹部側と上記基板が配置された上記携帯端末本体の内部との間が防水構造となっている
ことを特徴とする携帯端末。
【請求項５】
請求項１乃至４のいずれか１つに記載の携帯端末において、
上記外部接続端子は、イヤホン用接続端子であり、
上記被接続部本体は、直方体状であり、
上記ビス取付部は、一方の側面に形成され、
上記係合用突起は、上記一方の側面に対向する他方の側面に形成されている
ことを特徴とする携帯端末。
【発明の詳細な説明】
【技術分野】
【０００１】
本発明は、外部接続端子を接続するための被接続部が取り付けられた携帯端末に関するものである。
【背景技術】
【０００２】
従来より、例えば、特許文献１のように、内部基板に半導体チップ等の実装後、ＤＣジャックを圧入気味に嵌め込んだ弾性体を配置し、ＤＣジャックの端子を内部基板の孔に挿入し、２本のビスで弾性体を内部基板に固定することは知られている。これにより、プラグ抜き差し時に発生する衝撃が電子機器に伝わりにくくなるようにしている。
【先行技術文献】
【特許文献】
【０００３】
【特許文献１】特開２００７−８７８６９号公報
【発明の概要】
【発明が解決しようとする課題】
【０００４】
イヤホンプラグやＡＣアダプタなど抜き差しを行う際には、ねじりや引張などの荷重が加わるため、これらが接続される被接続部は、筐体本体に堅固に取り付けておく必要がある。しかし、上記特許文献１のようにビスの本数を２本とすると、それだけ内部基板を設置できる面積が減り、省スペースが図れないという問題があった。
【０００５】
本発明は、かかる点に鑑みてなされたものであり、その目的とするところは、外部接続端子を接続する被接続部を、取付が容易で設置スペースが小さく、抜き差ししやすいものとすることにある。
【課題を解決するための手段】
【０００６】
上記の目的を達成するために、被接続部を１つの締結構造と係合構造とで筐体本体に取り付けるようにした。
【０００７】
具体的には、第１の発明では、外部接続端子を接続するための被接続部が取り付けられた携帯端末本体を有する携帯端末を対象とする。
【０００８】
そして、上記携帯端末本体は、
上記被接続部を脱着可能な取付用凹部と、
上記取付用凹部に形成された１つのボス部と、
上記取付用凹部に形成され、内部の基板に接続する配線が延びる上記被接続部の先端が挿入される接続用貫通孔と、
上記取付用凹部における上記１つのボス部と異なる位置に形成された係合用溝とを備え、
上記被接続部は、
上記外部接続端子が挿入される端子挿入口が開口された被接続部本体と、
上記被接続部本体に形成され、上記ボス部にビス止めするための１つのビス取付部と、
上記被接続部本体に形成され、上記係合用溝に係止される係合用突起とを備えている。
【０００９】
上記の構成によると、被接続部本体のビス取付部と取付用凹部のボス部とをビス止めすると共に、被接続部本体の係合用突起を取付用凹部の係合用溝に係合させることで、少なくとも２点で確実に固定が行われるので、被接続部の端子挿入口に外部接続端子を抜き差ししても被接続部がぐらつくことはない。また、ビスを止めるために広いスペースを必要とするビス取付部に比べて係合用突起を小さくすることができるので、省スペースが図られ、内部の基板等の設置スペースが確保しやすくなる。
【００１０】
第２の発明では、第１の発明において、
上記係合用溝は、上記ボス部の雌ネジの延びる方向に沿う第１方向溝と、
上記第１方向溝に連続し、該第１方向溝と異なる方向に延びる第２方向溝とを備え、
上記係合用突起が上記第２方向溝の終端に来たときに上記ビス取付部と上記ボス部とが位置決めされるように構成されている。
【００１１】
上記の構成によると、係合用突起を係合用溝に係合させた状態で、係合用突起が第１方向溝を経て第２方向溝に到るように被接続部を移動させ、係合用突起が終端に到着したときにビス取付部とボス部とが位置決めされるので、取付が極めて容易であり、しかも、係合用溝が２方向に延びる構成であるので、被接続部に引っ張り、圧縮、ねじりなどの荷重が加わっても、係合用突起が抜けにくい。
【００１２】
第３の発明では、第１又は第２の発明において、
上記係合用突起の上記係合用溝の始端に挿入する側は、先細となり、
上記係合用溝の終端は、該係合用溝の他の部分よりも深さが深くなっている。
【００１３】
上記の構成によると、係合用突起を係合用溝の始端に嵌合させるときに挿入が容易となり、係合用突起が係合用溝の終端に到着したときに係合用突起が終端で嵌り込むので、係合用突起が外れにくくなり、被接続部の固定状態がさらに安定する。
【００１４】
第４の発明では、第１乃至第３のいずれか１つの発明において、
上記被接続部の先端には、上記接続用貫通孔内周と密着するシール部材が設けられ、
上記取付用凹部側と上記基板が配置された上記携帯端末本体の内部との間が防水構造となっている。
【００１５】
上記の構成によると、被接続部の先端と接続用貫通孔内周とがシール部材で封止されているので、取付用凹部側から携帯端末本体の内部に水が入り込まない。
【００１６】
第５の発明では、第１乃至第４のいずれか１つの発明において、
上記外部接続端子は、イヤホン用接続端子であり、
上記被接続部本体は、直方体状であり、
上記ビス取付部は、一方の側面に形成され、
上記係合用突起は、上記一方の側面に対向する他方の側面に形成されている。
【００１７】
上記の構成によると、対向する一対の側面にビス取付部と係合用突起とが互いに距離を空けて設けられているので、被接続部本体が取付用凹部に確実に固定されると共に、一対の側面にビス取付部を設ける場合に比べ、係合用突起側が小さいため、その近傍まで基板を延ばすことができる。
【発明の効果】
【００１８】
以上説明したように、本発明によれば、被接続部本体のビス取付部を取付用凹部のボス部にビス止めすると共に、被接続部本体の係合用突起を取付用凹部の係合用溝に係止し、被接続部の先端から延びる配線を接続用貫通孔から内部の基板に接続するようにしたことにより、外部接続端子を接続する被接続部を、取付が容易で設置スペースが小さく、抜き差ししやすいものとすることができる。
【図面の簡単な説明】
【００１９】
【図１】本実施形態にかかる被接続部が取付用凹部に取り付けられた様子の概略を示す斜視図である。
【図２】携帯電話機を正面側から見た斜視図である。
【図３】携帯電話機を背面側から見た斜視図である。
【図４】電池カバーを外した携帯電話機を示す背面図である。
【図５】図４のＶ部拡大背面図である。
【図６】図５のVI−VI線断面図である。
【図７】基板側から見た図１相当図である。
【図８】端子挿入口側から見た図１相当図である。
【図９】比較例にかかる図４相当図である。
【発明を実施するための形態】
【００２０】
以下、本発明の実施形態を図面に基づいて説明する。
【００２１】
図２及び図３は本発明の実施形態の携帯端末としての携帯電話機１を示し、この携帯電話機１は、表面側にタッチパネルを有する表示部２が嵌め込まれ、内部にメイン基板４が内蔵された携帯端末本体としての、直方体状の筐体本体５を有する。なお、説明を簡略化するために、図４に示す携帯電話機１の長手方向を上下方向とする。
【００２２】
筐体本体５の正面から見て左側には、外部接続端子（イヤホン用接続端子）としてのイヤホンプラグ５０を接続するためのイヤホンジャック２０（被接続部）が設けられている。
【００２３】
具体的には、背面から見て筐体本体５の右側面に背面視矩形状に取付用凹部１１が凹陥されている。取付用凹部１１は、背面から見て右方が開放され、イヤホンジャック２０が脱着可能に取り付けられている。図４〜図６に示すように、筐体本体５は、例えば、樹脂成形品で構成され、表示部２側の正面側キャビネット５ａと、その反対の背面側キャビネット５ｂとを有し、背面側キャビネット５ｂは、充電池６が装着された状態で電池蓋５ｃで覆われるようになっている。正面側キャビネット５ａと背面側キャビネット５ｂとの間は、リング状の防水ゴム５ｄで密閉されている。
【００２４】
取付用凹部１１の底壁部１１ａの裏側（正面側）には、正面側キャビネット５ａと背面側キャビネット５ｂとを結合する結合ビス（図示せず）用のネジ穴１２が形成されている（図４及び図５では破線で示す）。図１に示すように、取付用凹部１１の底壁部１１ａの背面から見て右上には、雌ネジ１３ａを有する、１つのボス部１３が設けられている。このボス部１３と反対側の取付用凹部１１の下側壁部１１ｂには、係合用溝１４が凹陥されている。係合用溝１４は、ボス部１３の雌ネジ１３ａの延びる方向（筐体本体５の厚さ方向）に沿う直線状の第１方向溝１４ａと、この第１方向溝１４ａに連続し、第１方向溝１４ａと異なる方向（左右方向）に直線状に延びる第２方向溝１４ｂとを備えている。本実施形態では、第１方向溝１４ａと第２方向溝１４ｂとは、直交している。また、第２方向溝１４ｂの終端１４ｃは、係合用溝１４の他の部分よりも深さが深くなっている。
【００２５】
取付用凹部１１の背面から見て左側の内側側壁１１ｃには、楕円形状の接続用貫通孔１５が貫通形成されている。この接続用貫通孔１５には、内部のメイン基板４に接続する配線としてのフレキシブル基板２６が延びるイヤホンジャック２０の先端２０ａが挿入されるようになっている。
【００２６】
イヤホンジャック２０は、イヤホンプラグ５０が挿入される端子挿入口２１が開口された直方体状のイヤホンジャック本体２２を備えている。このイヤホンジャック本体２２の上面には、ボス部１３の背面に当接し、ビス止めするための貫通孔２３ａを有する板状の１つのビス取付部２３が突出して形成されている。
【００２７】
イヤホンジャック本体２２のビス取付部２３と反対側下面には、取付用凹部１１の係合用溝１４に係止される係合用突起２４が下方に向けて突設されている。係合用突起２４の左右幅は、第１方向溝１４ａの左右幅よりも若干短く、係合用溝１４（第１方向溝１４ａ）の始端に挿入する側（正面側）は、下方から見て底壁部１１ａ側が丸くなっている。そして、係合用突起２４は、係合用溝１４に押し込まれるように正面側へ差し込まれて第１方向溝１４ａを進み、その後背面から見て左側へ第２方向溝１４ｂを通り、終端１４ｃに来たとき落ち込むように固定される。このとき、ビス取付部２３の貫通孔２３ａとボス部１３のネジ穴１３ａとが位置決めされるように構成されている。
【００２８】
また、イヤホンジャック２０の先端２０ａは断面楕円形状に先細となり、その外周には、接続用貫通孔１５の内周と密着する、Ｏリングなどのシール部材２５が嵌められている。このことで、取付用凹部１１側からメイン基板４が配置された筐体本体５の内部へ水や埃が入り込まないようになっている。
【００２９】
−イヤホンジャックの取付手順−
次に、本実施形態にかかる携帯電話機１のイヤホンジャック２０の取付手順について説明する。背面側キャビネット５ｂの背面側から取付用凹部１１が露出しているので、その取付用凹部１１に向けてイヤホンジャック２０をつまんで嵌め込む。まず、イヤホンジャック２０の先端２０ａから延びるフレキシブル基板２６を接続用貫通孔１５に挿入し、係合用突起２４と第１方向溝１４ａの入口とを位置決めする。
【００３０】
次いで、係合用突起２４の先端の丸まった部分を第１方向溝１４ａの入口から挿入する。このとき、係合用突起２４の先端が丸まっているので、挿入作業が容易である。
【００３１】
次いで、イヤホンジャック２０を正面側に向かって押し込み、係合用突起２４を第１方向溝１４ａの終端まで進める。
【００３２】
次いで、係合用突起２４が第２方向溝１４ｂに沿うように背面から見て左側へイヤホンジャック２０を進める。すると、係合用突起２４が第２方向溝１４ｂの終端１４ｃに嵌り込む。このとき、係合用溝１４が２方向に延びる構成であるので、係合用突起２４が外れにくくなる。また、係合用突起２４が、この終端１４ｃに嵌り込んだ状態で、ビス取付部２３とボス部１３とが確実に位置決めされるので、ビスの締結作業も容易である。そして、フレキシブル基板２６の先端をメイン基板４の正面側に接続する。このとき、イヤホンジャック２０の先端２０ａと接続用貫通孔１５内周とがシール部材２５で封止されているので、取付用凹部１１から筐体本体５の内部に水が入り込むのを確実に防止することができる。
【００３３】
このように、イヤホンジャック本体２２のビス取付部２３と取付用凹部１１のボス部１３とでビス止めを行うと共に、イヤホンジャック本体２２の係合用突起２４を取付用凹部１１の係合用溝１４に係合させることで、２点で固定が確実に行われるので、イヤホンジャック２０の端子挿入口２１にイヤホンプラグ５０を抜き差ししてもイヤホンジャック２０がぐらつくことはない。また、ビス取付部２３に比べて係合用突起２４を小さくすることができるので、省スペースが図られ、メイン基板４の設置スペースが確保しやすくなる。このため、係合用突起２４のある下側壁部１１ｂの近傍までメイン基板４を延ばすことができる。このことは、図９に示す比較例を見るとよくわかる。比較例では、イヤホンジャック本体１２２の上下面に一対のビス取付部１２３が設けられているので、下側のビス取付部１２３の分だけメイン基板１０４を避けなければならず、その面積が減っている。このため、電子部品の設置面積を確保するために、メイン基板１０４の下端に出っ張り部１０４ａが形成されている。
【００３４】
したがって、本実施形態にかかる携帯電話機１によると、イヤホンプラグ５０を接続するイヤホンジャック２０を、取付が容易で設置スペースが小さく、抜き差ししやすいものとすることができる。
【００３５】
（その他の実施形態）
本発明は、上記実施形態について、以下のような構成としてもよい。
【００３６】
すなわち、上記実施形態では、携帯電話機１は、１つの直方体状の筐体本体５を有するとしたが、折畳み式携帯電話機やスライド式携帯電話機など異なる構造のものでもよい。
【００３７】
また、上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３８】
なお、以上の実施形態は、本質的に好ましい例示であって、本発明、その適用物や用途の範囲を制限することを意図するものではない。
【符号の説明】
【００３９】
１      携帯電話機（携帯端末）
４      メイン基板（基板）
５      筐体本体
１１      取付用凹部
１４      係合用溝
１４ａ    第１方向溝
１４ｂ    第２方向溝
１４ｃ    終端
１５      接続用貫通孔
２０      イヤホンジャック（被接続部）
２０ａ    先端
２１      端子挿入口
２２      イヤホンジャック本体（被接続部本体）
２３      ビス取付部
２４      係合用突起
２５      シール部材
２６      フレキシブル基板（配線）
５０      イヤホンプラグ（外部接続端子、イヤホン用接続端子）
【図１】
2013042281.tif 000003
【図２】
2013042281.tif 000004
【図３】
2013042281.tif 000005
【図４】
2013042281.tif 000006
【図５】
2013042281.tif 000007
【図６】
2013042281.tif 000008
【図７】
2013042281.tif 000009
【図８】
2013042281.tif 000010
【図９】
2013042281.tif 000011